(57)【特許請求の範囲】
【請求項１】
回転中心軸が水平または開口部側が高くなるようにした回転ドラムと、
洗濯水を溜めるとともに前記回転ドラムを収容する外槽と、
前記外槽を収容する筺体と、
前記筺体の上部に設けられる乾燥フィルタと、
前記乾燥フィルタの下流に設けられ、乾燥用の空気を生成する加熱手段と、
を備えた洗濯乾燥機において、
前記乾燥フィルタは、前後方向に引き出し可能に配置された着脱式のフィルタケースの底壁部に平面状に設けられた第１フィルタ部と、前記第１フィルタ部が設けられた前記フィルタケースが収容されて下方に向けて空気が流れる収容部と、を備え、
前記収容部は、側面に空気の導入側となる導入口と、手前側から奥側に向けて前記導入口に近づく側壁部と、前記側壁部の最奥部において前記フィルタケースが挿入される開口部の開口面と平行に形成される平坦部と、前記平坦部から前記開口部に向けて突出して前記導入口の縁部を構成する突起部と、前記前後方向の手前側の底面に形成される平面状の第２フィルタ部と、前記前後方向の奥側の底面に形成される壁部と、を備え、
前記フィルタケースは、当該フィルタケースを前記収容部に収容したときに、前記平坦部に沿って形成される後壁部と、前記導入口と対向する位置に当該導入口より前記前後方向に幅広に形成される開口と、を備え、
前記開口を形成する前記後壁部の開口端は、前記フィルタケースを前記収容部に収容したときに、前記突起部に対向していることを特徴とする洗濯乾燥機。
【請求項２】
前記第１フィルタ部は、前記収容部に設けられた前記第２フィルタ部よりも前記前後方向の奥側まで形成されていることを特徴とする請求項１に記載の洗濯乾燥機。
【請求項３】
前記第１フィルタ部は、前記第２フィルタ部よりも面積が広く形成されていることを特徴とする請求項１または請求項２に記載の洗濯乾燥機。
【請求項４】
前記第２フィルタ部は、黒色であることを特徴とする請求項１から請求項３のいずれか１項に記載の洗濯乾燥機。
【請求項５】
前記第２フィルタ部は、前記収容部にねじを介して着脱可能に固定されていることを特徴とする請求項１から請求項４のいずれか１項に記載の洗濯乾燥機。
【発明の詳細な説明】
【技術分野】
【０００１】
本発明は、乾燥フィルタを備えた洗濯乾燥機に関する。
【背景技術】
【０００２】
洗濯乾燥機には、乾燥運転時に発生する埃を捕集するための乾燥フィルタが設けられている（例えば、特許文献１参照）。
【先行技術文献】
【特許文献】
【０００３】
【特許文献１】特開２００８−１１９０５４号公報
【発明の概要】
【発明が解決しようとする課題】
【０００４】
しかしながら、特許文献１に記載の洗濯乾燥機では、乾燥フィルタに袋状のフィルタを使用していたため、フィルタの掃除がしづらいという問題があった。
【０００５】
また、乾燥フィルタを天板に対して上方に引き抜く洗濯乾燥機では、乾燥フィルタが天板の奥側に位置するため、乾燥フィルタを収容する収容部の汚れの状況を確認しづらいという問題もあった。
【０００６】
本発明は前記した従来の問題を解決するものであり、フィルタの清掃性を向上することが可能な洗濯乾燥機を提供することを目的とする。
【課題を解決するための手段】
【０００７】
本発明は、回転中心軸が水平または開口部側が高くなるようにした回転ドラムと、洗濯水を溜めるとともに前記回転ドラムを収容する外槽と、前記外槽を収容する筺体と、前記筺体の上部に設けられる乾燥フィルタと、前記乾燥フィルタの下流に設けられ、乾燥用の空気を生成する加熱手段と、を備えた洗濯乾燥機において、前記乾燥フィルタは、前後方向に引き出し可能に配置された着脱式のフィルタケースの底壁部に平面状に設けられた第１フィルタ部と、前記第１フィルタ部が設けられた前記フィルタケースが収容されて下方に向けて空気が流れる収容部と、を備え、前記収容部は、側面に空気の導入側となる導入口と、手前側から奥側に向けて前記導入口に近づく側壁部と、前記側壁部の最奥部において前記フィルタケースが挿入される開口部の開口面と平行に形成される平坦部と、前記平坦部から前記開口部に向けて突出して前記導入口の縁部を構成する突起部と、前記前後方向の手前側の底面に形成される平面状の第２フィルタ部と、前記前後方向の奥側の底面に形成される壁部と、を備え、前記フィルタケースは、当該フィルタケースを前記収容部に収容したときに、前記平坦部に沿って形成される後壁部と、前記導入口と対向する位置に当該導入口より前記前後方向に幅広に形成される開口と、を備え、前記開口を形成する前記後壁部の開口端は、前記フィルタケースを前記収容部に収容したときに、前記突起部に対向している。
【発明の効果】
【０００９】
本発明によれば、フィルタの清掃性を向上することが可能な洗濯乾燥機を提供できる。
【図面の簡単な説明】
【００１０】
【図１】本実施形態に係る洗濯乾燥機の外観斜視図である。
【図２】本実施形態に係る洗濯乾燥機内部の概略構造を示す側面図である。
【図３】本実施形態に係る洗濯乾燥機内部の概略構造を示す斜視図である。
【図４】乾燥フィルタを示す正面図である。
【図５】収容部を前方側から見たときの斜視図である。
【図６】収容部の内部を示す平面図である。
【図７】図４のＡ−Ａ線矢視断面図である。
【図８】図４のＢ−Ｂ線矢視断面図である。
【図９】乾燥フィルタを導入口側から見たときの斜視断面図である。
【発明を実施するための形態】
【００１１】
以下、本発明を実施するための形態（以下「実施形態」という）について、適宜図面を参照しながら詳細に説明する。なお、以下では、洗濯から乾燥までの工程を行うことができるドラム式洗濯乾燥機（以下、洗濯乾燥機と表記する）を例に挙げて説明する。また、以下では、洗濯乾燥機Ｓ１を正面から見たときの方向を基準として説明する。
【００１２】
図１は、本実施形態に係る洗濯乾燥機の外観斜視図である。
図１に示すように、洗濯乾燥機Ｓ１は、外郭が鋼板と樹脂成型品とを組み合わせて構成された筐体１を有している。この筺体１は、ベース１ｈの上部に、左右の側板１ａ（一方のみ図示）、前面カバー１ｃ、背面カバー１ｄ（図２参照）、上面カバー１ｅおよび下部前面カバー１ｆを組み合わせて構成されている。
【００１３】
前面カバー１ｃの略中央には、衣類など（洗濯物、乾燥対象物）を出し入れするための投入口を塞ぐドア２が設けられ、このドア２が前補強材（不図示）に設けたヒンジによって開閉可能に支持されている。ドア２の近傍の前面カバー１ｃには、ドア２のロックを解除するドア開放ボタン３が設けられている。ドア開放ボタン３を押すことで、ロックが外れてドア２が開き、ドア２を前面カバー１ｃに押し付けることでロックされて閉じるようになっている。図示しない前補強材は、外槽２０（図２参照）の開口部２０ｂ（図２参照）と同心に、衣類を出し入れするための円形の開口部を有している。
【００１４】
筐体１の上部中央には、電源スイッチ４ａ、操作スイッチ４ｂ，４ｃ、表示器４ｄなどを備えた操作パネル４が設けられている。操作パネル４は、筐体１下部に設けた制御装置６０（図２参照）と電気的に接続されている。また、筺体１の上部左側には、洗剤や柔軟剤などを投入する引き出し式のトレイ５が設けられている。
【００１５】
また、筺体１の上部右側には、引き出し式の乾燥フィルタ６が設けられている。なお、乾燥フィルタ６の詳細な構成については後記する。また、上面カバー１ｅには、水道栓から給水するための給水ホース接続口７ａ、風呂の残り湯を供給するための吸水ホース接続口７ｂが設けられている。
【００１６】
図２は、本実施形態に係る洗濯乾燥機内部の概略構造を示す側面図である。
図２に示すように、洗濯乾燥機Ｓ１は、筐体１内に、回転可能に支持された円筒状の洗濯兼脱水槽としてのドラム（回転ドラム、内槽）１０が設けられている。このドラム１０は、前側（手前側）端面に衣類を出し入れするための開口部１０ａを有するとともに、その周壁に通水および通風のための多数の貫通孔（不図示）を有している。
【００１７】
開口部１０ａの縁部には、ドラム１０と一体のバランスリング（流体バランサともいう）１０ｂが設けられている。このバランスリング１０ｂは、その内部に比重の大きな流体を封入して構成され、ドラム１０の回転時に洗濯物の偏り等によって偏心が生じたときに、バランスリング１０ｂ内での流体の移動によって偏心を相殺し、回転のバランスを維持する働きを有している。
【００１８】
ドラム１０の内周壁には、奥行き方向（軸方向）に延びるリフタ１０ｃが複数個設けられている。洗濯、乾燥時にドラム１０が回転すると、衣類などがリフタ１０ｃと遠心力で周壁に沿って持ち上がり、重力で落下するような動きを繰り返すようになっている。ドラム１０の回転中心Ｏ１（回転中心軸）は、開口部１０ａ側が高くなるように傾斜している。なお、ドラム１０の回転中心Ｏ１が、前後方向（水平方向）に向く構成であってもよい。
【００１９】
また、洗濯乾燥機Ｓ１は、ドラム１０を同軸上に内包し、前面が開口した円筒状の外槽２０を備えている。外槽２０は、ステンレス製の外槽本体２１と、合成樹脂製の外槽カバー２２とを備え、外槽本体２１の前面に外槽カバー２２が取り付けられることで、外槽２０内への貯水を可能としている。外槽カバー２２の前側（手前側）中央には、衣類などを出し入れするための開口部（不図示）が形成されている。開口部と前補強材に設けた開口部は、ゴム製のパッキン（不図示）で接続されることで、外槽２０とドア２との水密性を維持する役割を果たしている。これにより、洗い、すすぎおよび脱水時の水漏れの防止が図られている。外槽２０の底面最下部には、排水口２０ｃが設けられ、排水ホース８が接続されている。
【００２０】
排水ホース８の先端部は、床面Ｇに設けられた排水孔（不図示）に接続されている。また、排水ホース８の途中には、排水弁Ｖが設けられ、この排水弁Ｖを閉じて給水することで外槽２０内に水が溜められ、排水弁Ｖを開くことで外槽２０内の水が機外へ排出される。
【００２１】
また、洗濯乾燥機Ｓ１は、外槽２０の背面中央（底面中央）に、ドラム１０を回転駆動させるためのモータＭが取り付けられている。なお、モータＭの回転軸ｍ１は、外槽２０を貫通し、ドラム１０の背面に設けられた金属製フランジ１０ｅと結合している。また、外槽２０の下部は、下側をベース１ｈに固定された複数のサスペンション９（コイルばねとダンパで構成）で防振支持されている。また、外槽２０の上部は、上部補強部材（不図示）に取り付けた補助ばね（不図示）で支持されており、外槽２０の前後方向への倒れを防ぐようになっている。
【００２２】
また、洗濯乾燥機Ｓ１は、筐体１の背面内側および上面内側を通る送風ダクト（送風路）３０を備えている。送風ダクト３０は、外槽２０の背面側を上下方向に延びるダクト３２と、外槽２０の上面側を後方から前方に延びるダクト３３とを有している。
【００２３】
ダクト３３の下流側には、後記する乾燥フィルタ６（図１参照）、ファン４１（送風手段）とヒータ４２（加熱手段）とを備えた送風ファンユニット４０が設けられている。
【００２４】
なお、図示していないが、ダクト３２内には、例えば、水冷除湿機構として、多数の突起が形成されたステンレス製のプレート（熱交換板）が配設されており、プレートには、その壁面に沿って冷却水を流すための給水管（不図示）が接続されている。冷却水用の給水電磁弁（不図示）が開弁されることにより、水冷除湿が機能するようになっている。
【００２５】
送風ダクト３０（ダクト３２）の下部は、外槽２０の背面下部に設けられた出口２０ｄに柔軟構造のベローズ３１で略水平に接続されている。なお、図示していないが、外槽２０の底に溜められた洗濯水を循環ポンプで汲み上げて、ドラム１０内の上部から散水する構成を付加してもよい。
【００２６】
図３は、本実施形態に係る洗濯乾燥機内部の概略構造を示す斜視図である。
図３に示すように、ファン４１は、いわゆるターボファンなどと称されるものであり、ファンケース４１ａ内に、複数枚の羽根で構成された羽根車（不図示）が収容され、羽根車の周囲にスクロール状（渦巻き状）の流路（不図示）が形成されて構成されている。また、ファンケース４１ａの外面には、羽根車の回転中心の一面側に、空気を吸い込む吸気口（不図示）が形成され、他面側に、羽根車を高速で回転させる電動機Ｍ１が取り付けられている。
【００２７】
ヒータ４２（図２参照）は、ＰＴＣ（Positive Temperature Coefficient）ヒータなどで構成され、ファンケース４１ａ内のスクロール状の流路の下流側に設けられている。また、ヒータ４２の下流側のファンケース４１ａには、ヒータ４２により生成された温風（乾燥用の空気）が吐出される吐出口（不図示）が形成されている。
【００２８】
図４は、乾燥フィルタを示す正面図である。なお、乾燥フィルタ６は、ダクト３３の一部およびダクト８１と一体に構成されている。
図４に示すように、乾燥フィルタ６は、前後方向（紙面に垂直な方向）に引き出し可能な引出部６１と、引出部６１の一部を収容する収容部７１と、を有して構成されている。
【００２９】
また、引出部６１は、筺体１の外郭の一部を構成する把手部６１ａを有している。この把手部６１ａは、その一部が奥側に押し込み可能となるように回動自在に支持された回動部６１ｂを有している。回動部６１ｂを押し込むことで、把手部６１ａの裏側に指を掛けることができ、引出部６１を前側（手前側）に引き出すことができる。
【００３０】
ところで、本実施形態では、一般的なドラムに比べて大径なドラム（内槽）１０を採用しているため、他の洗濯機と同等の高さ寸法とした場合、ドラム１０（外槽２０）の上端から天板１ｅまでの高さ寸法が短くなる（図２参照）。このため、乾燥フィルタ６を天板１ｅ側（上面）に配置して上方に引き抜くタイプにすることが困難になる。また、上方に引き抜くタイプにすると、フィルタを収容する収容部が天板１ｅの奥側に位置し、収容部の内部が見づらくなり、上下方向の寸法が長くなって洗濯乾燥機が大型化する問題もある。そこで、本実施形態では、フィルタを前後方向に引き出す方式にすることで、乾燥フィルタ６の高さ寸法を低く抑えることができ、洗濯乾燥機Ｓ１が大型化するのを防止できるようになっている。
【００３１】
本実施形態の乾燥フィルタ６では、引出部６１（図７参照）を前後方向の手前側に引き出す方式にして、乾燥フィルタ６の側面にダクト３３を接続することで空気の導入側とし、乾燥フィルタ６の下面側（図示下側）にダクト８１を接続することで空気の導出側とする構成にしている。また、ダクト８１には、下流側に設けられた送風ファンユニット４０と接続される吐出口８２が形成されている。
【００３２】
図５は、収容部を前方側から見たときの斜視図である。なお、図５においては、フィルタ部７２ｃのメッシュ（フィルタ）を一部省略して図示している（図６についても同様）。
図５に示すように、収容部７１は、手前側に引出部６１（図４参照）が挿入される開口部７１ａと、ダクト３３が接続される導入口７１ｂと、ダクト８１が接続される導出口７１ｃと、を有している。
【００３３】
また、収容部７１は、下ケース７１Ａと上ケース７１Ｂとが上下で組み合わせて構成され、偏平な箱形状を呈している。また、下ケース７１Ａと上ケース７１Ｂとは、例えば、振動溶着によって接合されている。なお、振動溶着とは、下ケース７１Ａと上ケース７１Ｂとの接触面に摩擦熱を発生させて溶融、溶着を行うものである。これにより、複雑な形状の部品同士を接合することができ、接合面に隙間が生じるのを防止できる。
【００３４】
図６は、収容部の内部を示す平面図である。なお、図６は、乾燥フィルタ６の上ケース７１Ｂを取り外した状態を図示している。
図６に示すように、収容部７１は、軸方向が前後方向に延在する筒状部７１ｄと、導入口７１ｂと対向する側において筒状部７１ｄから奥側に向けて導入口７１ｂに近づく側壁部７１ｅと、側壁部７１ｅの最奥部において開口部７１ａの開口面と平行に形成される平坦部７１ｆと、を有している。
【００３５】
また、収容部７１は、筒状部７１ｄ、側壁部７１ｅおよび平坦部７１ｆによって囲まれるとともに、手前側から奥側に向けて先細り形状となる平面視略三角形状の底壁部７１ｓを有している。この底壁部７１ｓには、ダクト８１に向けて貫通する導出口７１ｃが形成されている。また、収容部７１は、平面視において略三角形状の収容領域を有している。
【００３６】
導出口７１ｃの開口面積は、底壁部７１ｓの底面７１ｓ１の全体の表面積よりも小さく形成され、かつ、底面７１ｓ１（収容部７１）の手前側に位置している。また、導出口７１ｃは、平面視において略台形状を呈し、手前側が奥側よりも左右方向に幅広に形成されている。
【００３７】
導出口７１ｃには、この導出口７１ｃの開口形状に倣う形状を有するフィルタ部材７２が取り付けられている。このフィルタ部材７２は、導出口７１ｃの周縁部に沿って形成される枠部７２ａと、枠部７２ａの内側に設けられる格子部７２ｂと、枠部７２ａ内の全体において格子部７２ｂの上面に設けられるメッシュ状のフィルタ部７２ｃ（第２フィルタ）と、を有して構成されている。なお、フィルタ部７２ｃは、例えば、１００メッシュのものが使用され、インサート成型により枠部７２ａおよび格子部７２ｂと一体に構成されている。
【００３８】
フィルタ部７２ｃの手前側の端部７２ｃ１は、導入口７１ｂの前後方向の手前側の端部７１ｂ１と略一致するように位置している。また、フィルタ部７２ｃの奥側の端部７２ｃ２は、導入口７１ｂの前後方向の略中央部に位置している。換言すると、フィルタ部７２ｃの端部７２ｃ２は、例えば、ユーザが手を挿入して清掃できる位置に設定されている。このように、フィルタ部７２ｃは、収容部７１の底面７１ｓ１の手前側に位置し、奥側は、フィルタ部７２ｃの無い壁部Ｒとなっている。
【００３９】
また、フィルタ部材７２は、このフィルタ部材７２を収容部７１に固定するための固定部７２ｄを備えている。この固定部７２ｄは、枠部７２ａの手前側の端部から側壁部７１ｅに向けて延在し、ねじ７３を介して側壁部７１ｅに固定されている。また、ねじ７３は、その頭部が前後方向の手前側（前方）を向いている。これにより、開口部７１ａから工具（プラスドライバ）を挿入することで、フィルタ部材７２を容易に着脱できるようになっている。
【００４０】
このように、ねじ７３を介してフィルタ部材７２を固定することで、ユーザがフィルタ部材７２を簡単に（工具無しで）取り外すことができないようになっている。また、フィルタ部材７２を着脱可能にすることで、フィルタ部材７２が劣化して交換が必要になったときに、工具によってねじ７３を取り外すことで容易に交換することができる。
【００４１】
また、格子部７２ｂを設けることで、フィルタ部７２ｃの強度を高めることができ、清掃時の圧力などによる破損を防止することができる。また、固定部７２ｄを手前側に設けることで、ねじ７３の着脱が容易になる。また、固定部７２ｄを前後方向の手前側、かつ、左右方向の導入口７１ｂとは反対側の端部に設けることで、フィルタ部７２ｃの設置面積が阻害されるのを防止でき、導入口７１ｂから導入された空気をフィルタ部７２ｃからダクト８１に円滑に流すことができる。
【００４２】
また、底面７１ｓ１と枠部７２ａとフィルタ部７２ｃの各表面は、互いに面一となるように平面状に構成されている。これにより、収容部７１内において埃が隙間に溜まるのを抑制することができる。
【００４３】
図７は、図４のＡ−Ａ線矢視断面図である。なお、図７は、引出部６１のフィルタ部材６２が収容部７１に収容（装着）された状態を示し、また、フィルタ部６２ｂおよびフィルタ部７２ｃの各メッシュを一部省略して図示している。
図７に示すように、乾燥フィルタ６は、収容部７１内にフィルタ部材６２の全体が収容されることで構成されている。このフィルタ部材６２は、フィルタケース６２ａと、フィルタ部６２ｂ（第１フィルタ部）と、を有している。
【００４４】
フィルタケース６２ａは、断面視略三角形状を呈し、筒状部７１ｄ内に位置する前壁部６２ａ１と、側壁部７１ｅに沿って形成される側壁部６２ａ２と、平坦部７１ｆに沿って形成される後壁部６２ａ３と、を有している。また、フィルタケース６２ａは、導入口７１ｂと対向する位置に開口６３を有している。この開口６３は、導入口７１ｂよりも幅広（略前後方向）に形成されている。また、後壁部６２ａ３の開口端は、導入口７１ｂの縁部を構成する突起部７１ｇに対向している。また、底壁部６２ｃの導入側の開口端は、導入口７１ｂの縁部を構成する段差部７１ｈに対向している。なお、図示していないが、フィルタケース６２ａの上面（上壁部）の開口端についても、導入口７１ｂの縁部の壁面に対向するように構成されている。これにより、導入口７１ｂから導入された空気が、フィルタケース６２ａの開口６３の縁に当たることなく（抵抗になることなく）、空気をフィルタケース６２ａ内に取り込むことができる。
【００４５】
また、本実施形態では、導入口７１ｂから導入された空気が、フィルタ部７２ｃを通るように構成されているので、フィルタケース６２ａの開口端（開口６３の縁）にパッキンを設ける必要がなくなり、フィルタケース６２ａの開口６３の開口面積Ｑ（図８参照）を大きく確保することができ、フィルタケース６２ａ内やフィルタ部６２ｂの清掃性を向上できる。
【００４６】
また、フィルタケース６２ａの側壁部６２ａ２には、固定部７２ｄが挿入される窪み部６４が形成されている。これにより、フィルタ部材６２を収容部７１の奥まで確実に挿入することができる。
【００４７】
フィルタ部６２ｂは、メッシュ状のものであり、インサート成型により窪み部６４を除く底壁部６２ｃのほぼ全面に形成されている。また、フィルタ部６２ｂには、補強用の格子部６２ｄが形成されている。
【００４８】
また、乾燥フィルタ６において、フィルタ部６２ｂは、収容部７１に設けられたフィルタ部７２ｃよりもフィルタ面積が広く（大きく）形成されている。すなわち、フィルタ部６２ｂの奥側の端部６２ｂ１は、フィルタ部７２ｃよりも奥側に位置し、後壁部６２ａ３の近傍まで延びている。また、フィルタ部６２ｂの手前側の端部６２ｂ２は、フィルタ部７２ｃの手前側の端部７２ｃ１（図６参照）と略一致している。このように、フィルタ部６２ｂは、フィルタ部７２ｃの上下方向（図７の紙面に対して鉛直方向）においてほぼ全体が重なるように構成されている。
【００４９】
また、乾燥フィルタ６では、フィルタ部６２ｂを収容部７１から引き出して取り外すことができ、またフィルタケース６２ａに前後方向の手前側から奥側までの全体が開口する開口６３が形成されているので、フィルタ部６２ｂを手前側から奥側までの全体に配置することができる。このように、フィルタ部６２ｂをフィルタケース６２ａの底壁部６２ｃのほぼ全体に形成することで、フィルタとしての機能を長く維持することができる。
【００５０】
図８は、図４のＢ−Ｂ線矢視断面図である。
図８に示すように、下ケース７１Ａ（収容部７１）の導出口７１ｃには、鉛直方向の下方（ダクト８１側）に向けて延びる環状の延出部７１ｃ３が形成されている。フィルタ部材７２の格子部７２ｂは、上段に位置する格子７２ｂ１と、下段に位置する格子７２ｂ２と、鉛直方向に延びて格子７２ｂ１と格子７２ｂ２とを接続する縦板７２ｂ３と、によって構成されている。なお、メッシュ状のフィルタ部７２ｃは、上段の格子７２ｂ１の上面に形成されている。これにより、フィルタ部材７２を着脱式とした場合、フィルタ部材７２を収容部７１に確実に安定して取り付けることができる。
【００５１】
フィルタ部材７２の枠部７２ａの内周縁部は、略鉛直方向に下方に向けて延びる垂下部７２ａ１が形成され、延出部７１ｃ３の下端まで延びている。また、フィルタ部材７２の下端部には、爪部７２ｅが設けられて、爪部７２ｅが延出部７１ｃ３の下端に係合している。これにより、フィルタ部材７２が底壁部７１ｓから浮き上がるのを防止できる。
【００５２】
フィルタ部材７２は、垂下部７２ａ１の周囲にフィルタ用のパッキン（シール部材）９１が設けられて、垂下部７２ａ１と延出部７１ｃ３との間の気密性が確保できるように構成されている。よって、収容部７１に導入された空気は、すべてフィルタ部材７２のフィルタ部７２ｃを通過するようになっている。よって、乾燥フィルタ６の下流側に設けられたヒータ４２に埃が流出して不具合の原因となることを防止できる。
【００５３】
引出部６１には、フィルタ部材６２と把持部６１ａとの間に、ケース用のパッキン（シール部材）９２が設けられている。このパッキン９２は、開口部７１ａ内に位置することで、開口部７１ａから機外への空気漏れを防ぐようになっている。
【００５４】
図９は、乾燥フィルタを導入口側から見たときの斜視断面図である。なお、図９は、フィルタ部材６２の開口６３に沿って切断したときの断面を示している。また、図９では、フィルタ部６２ｂのメッシュの一部の図示を省略し、フィルタ部７２ｃのメッシュ全体の図示を省略している。
図９に示すように、フィルタ部材６２の開口６３から導入された空気は、フィルタ部６２ｂによって埃が捕集された後、フィルタ部６２ｂのメッシュを透過して収容部７１の底面７１ｓ１に流出する。フィルタ部６２ｂから流出した空気は、収容部７１のフィルタ部７２ｃを通ってダクト８１に導出する。ダクト８１に導出した空気は、吐出口８２から送風ファンユニット４０（図２、図３参照）の吸気孔（不図示）に流れ、送風ファンユニット４０の吐出口（不図示）から、温風ダクト３５、ベローズ３６を通り、温風吹出ノズル３７からドラム１０内に吐出される（図２、図３参照）。
【００５５】
なお、フィルタ部材６２のフィルタ部６２ｂが目詰まりして、フィルタ部材６２のフィルタケース６２ａと収容部７１との間の隙間を通って空気がフィルタ部６２ｂを通らなかったとしても、収容部７１のフィルタ部７２ｃにおいて埃を確実に捕集することができ、乾燥フィルタ６の下流側に設けられたヒータ４２に埃が流出するのを防止することができる。
【００５６】
ところで、埃は、白色や灰色など白色を含む色を呈しているため、収容部７１のフィルタ部７２ｃが白色であると、埃が付着しているか確認しづらくなる。そこで、本実施形態では、フィルタ部７２ｃを黒色にする（黒色に着色する）ことで、埃が付着したときに、埃を目立たせることができ、ユーザが埃の堆積状況を把握し易くなる。なお、フィルタ部材６２のフィルタ部６２ｂについては、フィルタ部材６２を含む引出部６１を筺体１から取り外すことができるので、白色であってもよい。ただし、フィルタ部６２ｂを黒色にすることを妨げるものではない。
【００５７】
以上説明したように本実施形態に係る洗濯乾燥機Ｓ１では、筺体１に、前後方向に引き出し可能に配置された着脱式のフィルタ部６２ｂと、フィルタ部６２ｂが収容されて下方に向けて空気が流れる収容部７１とを備えた乾燥フィルタ６が設けられ、収容部７１には、前後方向の手前側の底面７１ｓ１にフィルタ部７２ｃが設けられ、前後方向の奥側の底面７１ｓ１が壁部となっている。これによれば、引出部６１を取り出して、フィルタ部７２ｃを清掃する際に、フィルタ部７２ｃが収容部７１の底面７１ｓ１の手前側だけに位置しているので、ユーザが収容部７１の奥側まで手を入れる必要がなくなるので、フィルタ部７２ｃを容易に清掃することができ、フィルタ部７２ｃの清掃性を向上することが可能になる（図５参照）。また、本実施形態では、フィルタ部６２ｂを手前側に引き出す方式であるので、収容部７１を上から覗き込むことなく、収容部７１内の状態を容易に確認できる。
【００５８】
また、本実施形態では、乾燥フィルタ６が、前後方向に引き出し可能に配置された着脱式のフィルタ部６２ｂと、フィルタ部６２ｂが収容されて下方に向けて空気が流れる収容部７１と、を備え、フィルタ部６２ｂは、収容部７１に設けられたフィルタ部７２ｃよりも前後方向の奥側まで形成されている。これによれば、前記と同様に、収容部７１の奥側がフィルタ部７２ｃの無い壁部Ｒ（図６参照）になるので、ユーザが収容部７１の奥側まで手を入れる必要がなくなり、フィルタ部７２ｃの清掃性を向上できる。
【００５９】
また、本実施形態では、フィルタ部６２ｂのフィルタ面（メッシュ状の部分）が、フィルタ部７２ｃのフィルタ面（メッシュ状の部分）よりも広く（大きく）形成されているので、フィルタ部６２ｂがフィルタ部７２ｃと同じフィルタ面積を有している場合よりも、フィルタとしての機能を長く維持することができる。これにより、フィルタ部７２ｃに流出する埃の量を減らすことができ、フィルタ部７２ｃを清掃する頻度を減らすことができる。
【００６０】
また、本実施形態では、フィルタ部７２ｃを黒色にすることで、埃の堆積状態（付着具材）を容易に把握することができる。よって、フィルタ部７２ｃを掃除するか否かの判断を容易にできる。
【００６１】
また、本実施形態では、フィルタ部材７２が収容部７１にねじを介して着脱可能に固定されている。これによれば、ユーザがフィルタ部材７２を簡単には取り外すことができなくなるので、フィルタ部材７２を外したままの状態でフィルタ部材６２が装着されるのを防止できる。また、フィルタ部材７２を収容部７１にねじ固定することで、フィルタ部材７２が劣化して交換が必要になった場合には、工具を用いて容易に交換することができる。
【００６２】
なお、本発明は、前記した実施形態に限定されるものではなく、本発明の趣旨を逸脱しない範囲において適宜変更可能である。例えば、本実施形態では、引出部６１が前後方向且つ水平方向に引き出し可能な場合を例に挙げて説明したが、前後方向に対して上下左右に傾斜していてもよい。
【符号の説明】
【００６３】
１      筺体
６      乾燥フィルタ
１０    ドラム（回転ドラム）
２０    外槽
３３    ダクト
４２    ヒータ（加熱手段）
６１    引出部
６２    フィルタ部材
６２ａ  フィルタケース
６２ａ３  後壁部
６２ｂ  フィルタ部（第１フィルタ部）
６３    開口
７１    収容部
７１ａ  開口部
７１ｂ  導入口
７１ｃ  導出口
７１ｅ  側壁部
７１ｆ  平坦部
７１ｇ  突起部
７２    フィルタ部材
７２ａ  枠部
７２ｂ  格子部
７２ｃ  フィルタ部（第２フィルタ部）
７２ｄ  固定部
７３    ねじ
７１ｓ  底壁部
７１ｓ１  底面
８１    ダクト
Ｏ１    回転中心（回転中心軸）
Ｒ      壁部
Ｓ１    洗濯乾燥機
【図１】
0006282195.tif 000002
【図２】
0006282195.tif 000003
【図３】
0006282195.tif 000004
【図４】
0006282195.tif 000005
【図５】
0006282195.tif 000006
【図６】
0006282195.tif 000007
【図７】
0006282195.tif 000008
【図８】
0006282195.tif 000009
【図９】
0006282195.tif 000010